(57)【要約】【課題】特に上部に菓子を入れ、底部の係合構造により普通のペットボトルなどに組み合わせて使用する収容容器を備えるキャップに関するものである。【解決手段】本発明に係るキャップは、上部に周縁、底部にベースを有し、該ベースに貫通孔が形成される収容容器と、前記収容容器における貫通孔に、該貫通孔と連通するように、下端及び上端が設けられ、該下端から上端まで貫通する中空流路を有する、円柱状を呈する組立凸部と、を有するものである。【選択図】図２
2014184977.tif 000002
【特許請求の範囲】
【請求項１】
上部に周縁、底部にベースを有し、該ベースに貫通孔が形成される収容容器と、
前記収容容器における貫通孔に、該貫通孔と連通するように、下端及び上端が設けられ、該下端から上端まで貫通する中空流路を有する、円柱状を呈する組立凸部と、を有することを特徴とするキャップ。
【請求項２】
前記組立凸部の中空流路の内径は、下端から上端へ向かって次第に小さくなることを特徴とする請求項１に記載のキャップ。
【請求項３】
前記組立凸部における下端から上端までの高さは、収容容器におけるベースから周縁までの高さと同一であることを特徴とする請求項１に記載のキャップ。
【請求項４】
前記組立凸部の下端から上端までの高さは、収容容器のベースから周縁までの高さより低いことを特徴とする請求項１に記載のキャップ。
【請求項５】
前記収容容器の外径は、ベースから周縁へ向かって次第に大きくなることを特徴とする請求項１に記載のキャップ。
【請求項６】
前記収容容器が碗の形状を呈することを特徴とする請求項１に記載のキャップ。
【請求項７】
前記組立凸部の中空流路における下端の近傍に係合部が設けられることを特徴とする請求項１に記載のキャップ。
【請求項８】
前記組立凸部の係合部に少なくとも１つの係合リングが形成されることを特徴とする請求項７に記載のキャップ。
【請求項９】
前記少なくとも１つの係合リングの内周面にメスねじ部が形成されることを特徴とする請求項８に記載のキャップ。
【請求項１０】
前記収容容器の内部は密閉空間であると共に、収容容器の周縁に密閉用のフィルムが設けられることを特徴とする請求項１乃至９の何れか１項に記載のキャップ。
【請求項１１】
前記フィルムが中空流路を封止するように、前記組立凸部の上端に接着されることを特徴とする請求項１０に記載のキャップ。
【請求項１２】
前記収容容器の周縁から前記フィルムの周縁におけるみみ部が突出することを特徴とする請求項１０に記載のキャップ。
【請求項１３】
前記フィルムのみみ部がポリエチレン（ｐｏｌｙｅｔｈｙｌｅｎｅ，  ＰＥ）またはポリプロピレン（ｐｏｌｙｐｒｏｐｙｌｅｎｅ，  ＰＰ）からなることを特徴とする請求項１０に記載のキャップ。
【発明の詳細な説明】
【技術分野】
【０００１】
本発明は、特に底部の係合構造によりペットボトルに組み合わせることができ、上部に菓子を収容することができる収容容器を備えたキャップに関するものである。
【背景技術】
【０００２】
菓子と飲料を同時に購入するときは、一方の手で菓子の容器を持ちながら、もう一方の手では飲料のボトルを持つことから、両手がふさがってしまうので、飲食することができないという問題があった。
もし、消費者が歩きながら菓子を食べたい場合には、飲料を持っている手で菓子を取らなければならないが、非常に取りにくく、飲料を零してしまう虞もあった。
【０００３】
また、映画館で映画を鑑賞するときには、ポップコーンや飲料を購入する人が多いが、ポップコーンや飲料を持ったまま飲食するのは非常に不便であった。たとえば、一方のものを床に置いて、もう一方のものを飲食してもよいが、どちらかが倒れたり零れたりすると、自分だけではなく、隣の人にも迷惑をかけてしまう。
【０００４】
文献１：既存のカップに掛けられた菓子の皿は、以下のホームページに掲載している。＜http://www.thegoplate.com＞
【発明の概要】
【発明が解決しようとする課題】
【０００５】
上述したように、現在においては、菓子と飲料とが別々の容器であることから、それらを持つ時は、必ず両手で使うことになるので、使用上、非常に不便であった。この問題を解決するために、本発明においては、菓子と飲料を片手で持つことができるようにした、利便性に優れた容器を開発した。
【課題を解決するための手段】
【０００６】
本発明に係るキャップは、上部に周縁、底部にベースを有し、該ベースに貫通孔が形成される収容容器と、前記収容容器における貫通孔に、該貫通孔と連通するように、下端及び上端が設けられ、該下端から上端まで貫通する中空流路を有する、円柱状を呈する組立凸部と、を有するものである。
【０００７】
かかるキャップにおいて、前記組立凸部の中空流路の内径は、下端から上端へ向かって次第に小さくなることが好ましい。
【０００８】
かかるキャップにおいて、前記組立凸部における下端から上端までの高さは、収容容器におけるベースから周縁までの高さと同一であることが好ましい。
【０００９】
かかるキャップにおいて、前記組立凸部の下端から上端までの高さは、収容容器のベースから周縁までの高さより低いことが好ましい。
【００１０】
かかるキャップにおいて、前記収容容器の外径は、ベースから周縁へ向かって次第に大きくなることが好ましい。
【００１１】
かかるキャップにおいて、前記収容容器が碗の形状を呈してもよい。
【００１２】
かかるキャップにおいて、前記組立凸部の中空流路における下端の近傍に係合部が設けられることが好ましい。
【００１３】
かかるキャップにおいて、前記組立凸部の係合部に少なくとも１つの係合リングが形成されることが好ましい。
【００１４】
かかるキャップにおいて、前記少なくとも１つの係合リングの内周面にメスねじ部が形成されることが好ましい。
【００１５】
かかるキャップにおいて、前記収容容器の内部は密閉空間であると共に、収容容器の周縁に密閉用のフィルムが設けられることが好ましい。
【００１６】
かかるキャップにおいて、前記フィルムが中空流路を封止するように、前記組立凸部の上端に接着されることが好ましい。
【００１７】
かかるキャップにおいて、前記収容容器の周縁から前記フィルムの周縁におけるみみ部が突出することが好ましい。
【００１８】
かかるキャップにおいて、前記フィルムのみみ部がポリエチレン（ｐｏｌｙｅｔｈｙｌｅｎｅ，  ＰＥ）またはポリプロピレン（ｐｏｌｙｐｒｏｐｙｌｅｎｅ，  ＰＰ）からなってもよい。
【発明の効果】
【００１９】
本発明に係るキャップは、上記の課題を解決するものであり、固形の菓子をキャップの収容容器に入れて、フィルムを収容容器の周縁に接着することにより、固形の菓子を収容容器内に収容するものである。
また、キャップは、組立凸部をペットボトルの首に組み合わせることができ、使用時には、ストローをフィルムに突き刺して組立凸部の中空流路からペットボトルの内部に挿設すれば、ペットボトル内の飲料を飲むことができ、また、フィルムを収容容器から取り外せば、菓子を食べることができる。
つまり、この構造を用いれば、片手でペットボトルを持ちながら、菓子を食べたり、飲料を飲んだりすることができるので、利便性に優れると共に、実用性も非常に高い。
【図面の簡単な説明】
【００２０】
【図１】本発明のキャップに係る第一実施例の斜視透視図である。
【図２】本発明のキャップに係る第一実施例の上面視平面図である。
【図３】本発明のキャップに係る第一実施例の側面断面図である。
【図４】本発明のキャップに係る第一実施例の使用状態を示す側面断面図である。
【図５】本発明のキャップに係る第二実施例の側面断面図である。
【図６】本発明のキャップに係る第二実施例の使用状態を示す側面断面図である。
【図７】本発明のキャップに係る第三実施例の側面断面図である。
【図８】本発明のキャップに係る第四実施例の斜視透視図である。
【図９】本発明のキャップに係る第四実施例の使用状態を示す側面断面図である。
【図１０】本発明のキャップに係る第五実施例の側面断面図である。
【図１１】本発明のキャップに係る第五実施例の使用状態を示す側面断面図である。
【図１２】本発明のキャップに係る第五実施例の他の使用状態を示す側面断面図である。
【発明を実施するための形態】
【００２１】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００２２】
図１乃至図４に示すように、本発明に係るキャップの第一実施例には、収容容器１０及び組立凸部２０を有する。
【００２３】
前記収容容器１０は、碗などの形状を呈し、上部に周縁１１、底部にベース１２を有し、該ベース１２の中央に貫通孔１３が形成される。また、前記収容容器１０の外径は、ベース１２から周縁１１へ向かって次第に大きくなる。尚、前記収容容器１０の内部には、例えば、ポップコーンや、綿菓子、せんべい、クッキー、キャンディーなどの固形の菓子３０を収容することができる。
【００２４】
前記組立凸部２０は、円柱状を呈し、前記収容容器１０の貫通孔１３の周囲に接着される下端２１と、上端２２と、下端２１から上端２２まで貫通すると共に、貫通孔１３と連通する中空流路２３とを有し、該中空流路２３の内径ｄ１は、下端２１から上端２２へ向かって次第に小さくなり、ストロー４０などの管体を差し入れることができる。
【００２５】
前記組立凸部２０における下端２１から上端２２までの高さｈ１は、収容容器１０におけるベース１２から周縁１１までの高さｈ２と同一である。
また、前記中空流路２３における下端２１の近傍に、係合部２４が設けられ、この係合部２４の内径が通常のペットボトルやガラス瓶などのボトル５０の首の外径と対応する。これにより、ボトル５０の首を組立凸部２０の係合部２４に押し入れて係合することが出来る。
【００２６】
図５及び図６に示すように、本発明に係る第二実施例において、キャップ１Ａにおける組立凸部２０の係合部２４に、通常のペットボトルやガラス瓶などのボトル５０の首外周におけるオスねじ部と対応するメスねじ部２４１が形成され、このメスねじ部２４１がボトル５０のオスねじ部と螺合することにより、キャップ１Ａをペットボトルやガラス瓶などのボトル５０の首に組み合わせる。
【００２７】
図７に示すように、本発明に係る第三実施例は、キャップ１Ｂにおける組立凸部２０の下端２１から上端２２までの高さｈ３が、収容容器１０のベース１２から周縁１１までの高さｈ１より低く設計されている。
【００２８】
図８に示すように、本発明に係る第四実施例は、キャップ１Ｃにさらにフィルム６０を備え、該フィルム６０は、収容容器１０をカバーするように、収容容器１０の周縁１１及び組立凸部２０の上端２２に接着され、中空流路２３を封止する。
【００２９】
前記フィルム６０の周縁に、前記収容容器１０の周縁１１から突出するようにみみ部６０１が設けられるので、使用時に、みみ部６０１を収容容器１０の周縁１１から剥がしやすい。このフィルム６０を有すれば、収容容器１０の内部を密封するので、菓子を保存することが出来る。また、このフィルム６０は、アルミ箔や、プラスチックフィルム、ポリエチレン（ｐｏｌｙｅｔｈｙｌｅｎｅ，  ＰＥ）、ポリプロピレン（ｐｏｌｙｐｒｏｐｙｌｅｎｅ，  ＰＰ）などからなってもよい。
【００３０】
図９に示すように、本発明に係る第四実施例において、固形の菓子３０を収容容器１０に入れて、フィルム６０を周縁１１に接着すると、固形の菓子３０を収容容器１０に密閉状態で収容することができ、その後、組立凸部２０の係合部２４をメスねじ部２４１によりボトル５０の首のオスねじ部に螺合して組み合わせて使用する。
【００３１】
本発明に係るキャップを使用する時は、ストロー４０をフィルム６０に突き刺して組立凸部２０の中空流路２３からボトル５０の内部に差し入れれば、ボトル５０内の飲料を飲むことができ、一方、他の使用方法においては、もともとボトル５０に差し入れられているストロー４０を、組立凸部２０の下端２１から中空流路２３を介して上端２２まで押し出すと共に、収容容器１０の周縁１１に接着されたフィルム６０を突き破らせて外部へ露出させて使用する。
【００３２】
図１０に示すように、本発明に係る第五実施例は、殆ど第一実施例と同一であるが、キャップ１Ｄにおける組立凸部２０の係合部２４に少なくとも１つの係合リング２４０、２４２、２４３が設けられることにおいて異なる。本実施例における係合部２４は、内径のサイズが異なる３つの係合リング２４０、２４２、２４３を有する。これらの係合リング２４０、２４２、２４３は、飲料の容器の首外周と対応するように、組立凸部２０の下端２１へ行く次第に内径が大きくなる。
【００３３】
第五実施例における、最も上方の係合リング２４０は、通常のペットボトルやガラス瓶などのボトルの首外周と対応する内径を備え、また、内周面にボトルの首外周のオスねじ部と対応するメスねじ部２４１が形成される。使用する時、この係合リング２４０によりボトルの首に組み合わせることが出来る。
次の係合リング２４２は、アルミ缶の首外周と対応する内径を備える。図１１に示すように、使用する時、この係合リング２４２によりアルミ缶７０の首に組み合わせることができる。
最も下方の係合リングは、コーヒーやお茶を入れる紙カップなどの首外周と対応する内径を備える。図１２に示すように、使用する時、この係合リング２４３により紙カップ８０の首に組み合わせることが出来る。
それによれば、本発明に係るキャップにおいて、様々な飲料の容器に組み合わせることが出来て、広範囲に適用可能である。
【符号の説明】
【００３４】
１０  収容容器
１１  周縁
１２  ベース
１３  貫通孔
２０  組立凸部
２１  下端
２２  上端
２３  中空流路
２４  係合部
２４１  メスねじ部
２４０、２４２、２４３  係合リング
３０  菓子
４０  ストロー
５０  ボトル
６０  フィルム
６０１  みみ部
７０  アルミ缶
８０  紙カップ
ｄ１  内径
ｈ１、ｈ２、ｈ３  高さ
１Ａ、１Ｂ、１Ｃ、１Ｄ  キャップ
【図１】
2014184977.tif 000003
【図２】
2014184977.tif 000004
【図３】
2014184977.tif 000005
【図４】
2014184977.tif 000006
【図５】
2014184977.tif 000007
【図６】
2014184977.tif 000008
【図７】
2014184977.tif 000009
【図８】
2014184977.tif 000010
【図９】
2014184977.tif 000011
【図１０】
2014184977.tif 000012
【図１１】
2014184977.tif 000013
【図１２】
2014184977.tif 000014
【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
上部に周縁、底部にベースを有し、該ベースに貫通孔が形成される収容容器と、
前記収容容器における貫通孔に、該貫通孔と連通するように、下端及び上端が設けられ、該下端から上端まで貫通する中空流路を有する、円柱状を呈する組立凸部と、を有することを特徴とするキャップ。
【請求項２】
前記組立凸部の中空流路の内径は、下端から上端へ向かって次第に小さくなることを特徴とする請求項１に記載のキャップ。
【請求項３】
前記組立凸部における下端から上端までの高さは、収容容器におけるベースから周縁までの高さと同一であることを特徴とする請求項１に記載のキャップ。
【請求項４】
前記組立凸部の下端から上端までの高さは、収容容器のベースから周縁までの高さより低いことを特徴とする請求項１に記載のキャップ。
【請求項５】
前記収容容器の外径は、ベースから周縁へ向かって次第に大きくなることを特徴とする請求項１に記載のキャップ。
【請求項６】
前記収容容器が碗の形状を呈することを特徴とする請求項１に記載のキャップ。
【請求項７】
前記組立凸部の中空流路における下端の近傍に係合部が設けられることを特徴とする請求項１に記載のキャップ。
【請求項８】
前記組立凸部の係合部に少なくとも１つの係合リングが形成されることを特徴とする請求項７に記載のキャップ。
【請求項９】
前記少なくとも１つの係合リングの内周面にメスねじ部が形成されることを特徴とする請求項８に記載のキャップ。
【請求項１０】
前記収容容器の内部は密閉空間であると共に、収容容器の周縁に密閉用のフィルムが設けられることを特徴とする請求項１乃至９の何れか１項に記載のキャップ。
【請求項１１】
前記フィルムが中空流路を封止するように、前記組立凸部の上端に接着されることを特徴とする請求項１０に記載のキャップ。
【請求項１２】
前記収容容器の周縁から前記フィルムの周縁におけるみみ部が突出することを特徴とする請求項１０に記載のキャップ。
【請求項１３】
前記フィルムがポリエチレン（ｐｏｌｙｅｔｈｙｌｅｎｅ，ＰＥ）またはポリプロピレン（ｐｏｌｙｐｒｏｐｙｌｅｎｅ，ＰＰ）からなることを特徴とする請求項１０に記載のキャップ。
【手続補正２】
【補正対象書類名】明細書
【補正対象項目名】００１８
【補正方法】変更
【補正の内容】
【００１８】
かかるキャップにおいて、前記フィルムがポリエチレン（ｐｏｌｙｅｔｈｙｌｅｎｅ，ＰＥ）またはポリプロピレン（ｐｏｌｙｐｒｏｐｙｌｅｎｅ，ＰＰ）からなってもよい。